(57)【要約】【課題】  設置後でもユーザーが使用状況に合わせて引出しのレイアウトを自由に変更することができるキッチン用キャビネットを提供する。【解決手段】  キッチン用キャビネット１は、高さが基準高さＨの略１倍に設定された第１引出し４１および高さが基準高さＨの略２倍に設定された第２引出し４２と、内部に各引出し４１，４２を上下に並んだ状態で収納可能なユニット本体４３と、各引出し４１，４２を前後方向に移動可能に保持する桟部材４４とを有したユニット４を備えている。ユニット本体４３の両内側面には、基準高さＨと略同一のピッチａで、桟部材４４を前方から挿抜可能なあり溝４３ｆが設けられていて、桟部材４４は、これらのあり溝４３ｆに選択的に差し込まれて取り付けられている。【選択図】      図５
2007044173.tif 000002
【特許請求の範囲】
【請求項１】
高さが基準高さの略１倍に設定された第１引出しおよび高さが基準高さの略２倍または略３倍に設定された第２引出しと、前方に開口し、内部に前記各引出しを上下に並んだ状態で収納可能なユニット本体と、このユニット本体の両内側面に取り付けられて、前記各引出しを前後方向に移動可能に保持する桟部材とを有したユニットを備え、
前記ユニット本体の両内側面には、前記基準高さと略同一のピッチで、前記桟部材を前方から挿抜可能な溝が設けられていて、前記桟部材は、これらの溝に選択的に差し込まれて取り付けられていることを特徴とするキッチン用キャビネット。
【請求項２】
前記溝は、あり溝であり、前記桟部材は、前記あり溝に嵌り込み可能なあり部を有していることを特徴とする請求項１に記載のキッチン用キャビネット。
【請求項３】
前記桟部材は、全ての溝に差し込まれていることを特徴とする請求項１または２に記載のキッチン用キャビネット。
【請求項４】
前記第２引出しを保持する桟部材の上方で、かつ、第２引出しの占有領域内に位置する桟部材に、収納部材が前後方向に移動可能に保持されていることを特徴とする請求項３に記載のキッチン用キャビネット。
【請求項５】
前記ユニットは、左右方向に複数並んで設けられており、これらのユニットの少なくとも２つは、幅寸法が略同一に設定されていることを特徴とする請求項１〜４のいずれか１項に記載のキッチン用キャビネット。
【発明の詳細な説明】
【技術分野】
【０００１】
本発明は、箱型のユニットを備えたキッチン用キャビネットに関するものである。
【背景技術】
【０００２】
従来、複数の箱型のユニットを横並び（並列）に配置することにより構成されたキッチン用キャビネットが知られている（たとえば、特許文献１参照）。このキッチン用キャビネットでは、各ユニットの上にキッチンカウンターが載置され、このキッチンカウンターにシンクやコンロが設けられている。
【０００３】
このような従来のキッチン用キャビネットには、キャビネットを構成するユニットの１つとして、皿や鍋、調味料の容器などを収納するための引出しを上下に複数段備えた引出しユニットが設けられている。これらの引出しは、前方に開口するユニット本体の両内側面に設けたレール部材により、前後方向に移動可能に保持されている。
【特許文献１】特開平１１−２３０号公報
【発明の開示】
【発明が解決しようとする課題】
【０００４】
しかしながら、従来のキッチン用キャビネットにおける引出しユニットでは、ユーザーの要望に応じて引出しの大きさ及び配置位置が予め決定され、それに合わせてレール部材が取り付けられていたため、キッチン用キャビネットの設置後にユーザーが引出しのレイアウトを変更するのは困難であった。
【０００５】
本発明は、このような事情に鑑み、設置後でもユーザーが使用状況に合わせて引出しのレイアウトを自由に変更することができるキッチン用キャビネットを提供することを目的とする。
【課題を解決するための手段】
【０００６】
前記課題を解決するために、本発明に係るキッチン用キャビネットは、高さが基準高さの略１倍に設定された第１引出しおよび高さが基準高さの略２倍または略３倍に設定された第２引出しと、前方に開口し、内部に前記各引出しを上下に並んだ状態で収納可能なユニット本体と、このユニット本体の両内側面に取り付けられて、前記各引出しを前後方向に移動可能に保持する桟部材とを有したユニットを備え、前記ユニット本体の両内側面には、前記基準高さと略同一のピッチで、前記桟部材を前方から挿抜可能な溝が設けられていて、前記桟部材は、これらの溝に選択的に差し込まれて取り付けられていることを特徴とするものである。
【０００７】
溝の開口側の薄肉部分の強度を大きく確保するために、前記溝は、あり溝であり、前記桟部材は、前記あり溝に嵌り込み可能なあり部を有していることが好ましい。
【０００８】
桟部材の取付位置を変更することなく引出しの入れ替えが可能となるようにするために、前記桟部材は、全ての溝に差し込まれていることが好ましい。
【０００９】
第２引出しを引出せば、その内部の収納部材の引出しが可能となる２段引き（もくしは３段引き）を実現するために、前記第２引出しを保持する桟部材の上方で、かつ、第２引出しの占有領域内に位置する桟部材に、収納部材が前後方向に移動可能に保持されていることが好ましい。
【００１０】
ユニット同士の間で引出しを自由に入れ替えることを可能とするために、前記ユニットは、左右方向に複数並んで設けられており、これらのユニットの少なくとも２つは、幅寸法が略同一に設定されていることが好ましい。
【発明の効果】
【００１１】
本発明によれば、ユニット本体の両内側面には、基準高さと略同一のピッチで、桟部材を前方から挿抜可能な溝が設けられているので、ユーザーが溝から桟部材を抜き出して他の溝に差し込むことにより、桟部材の取付位置を簡単に変更することができる。そして、このように桟部材の取付位置を変更することにより、各引出しを上下に入れ替えることが可能となる。すなわち、その時々の使い勝手に合わせて引出しの配置を変更することができ、また引出しの配置変更によってキッチン用キャビネットの外観やデザインを変更することができる。
【発明を実施するための最良の形態】
【００１２】
以下、本発明を実施するための最良の形態について、図面を参照しながら詳細に説明する。
【００１３】
図１に示すように、本発明の一実施形態に係るキッチン用キャビネット１は、左右方向に並んで配置される複数の箱型のユニット２〜６と、これらのユニット２〜６の上に載置されるキッチンカウンター１１とを備えている。
【００１４】
前記キッチンカウンター１１は、平面視で略横長長方形状の形状となっており、右側位置にはシンク１２が設けられ、左側位置にはコンロ１３が設けられている。
【００１５】
前記ユニット２〜６は、シンク１２に対応する位置に配置されるシンクユニット２と、コンロ１３に対応する位置に配置されるコンロユニット３と、これらのユニット２，３の間に配置される２つの引出しユニット４，５と、コンロユニット３の左側に配置される幅狭の引出しユニット６とからなっている。
【００１６】
前記コンロユニット３の前面の上部には、コンロ１３のグリル扉や操作部などが設けられた前面を前方に露出させるための開口３ａが設けられており、この開口３ａにコンロ１３の前端部が嵌り込んでコンロ１３の前面が各ユニット２〜６の前面と略面一になっている。
【００１７】
前記各引出しユニット４〜６は、互いに幅寸法が異なるだけであって、それらの構造は全て同じであるので、代表として引出しユニット４について説明する。
【００１８】
引出しユニット４は、高さが基準高さＨの略１倍に設定された２つの第１引出し４１（引出しユニット５では５１、引出しユニット６では６１）と、高さが基準高さＨの略２倍に設定された１つの第２引出し４２（引出しユニット５では５２、引出しユニット６では６２）とを有しているとともに、前方に開口し、内部に前記各引出し４１，４２を上下に並んだ状態で収納可能なユニット本体４３（引出しユニット５では５３、引出しユニット６では６３）を有している。
【００１９】
ここで、基準高さＨとは、引出しユニット４における引出しの占有高さＨ’を、最小の高さの引出しのみで構成したときに決定される段数（本実施形態では４段）で割ったときの高さのことである。なお、本実施形態では、基準高さＨは、キッチンカウンター１１の下面からコンロ１３の下面までの高さと一致している。
【００２０】
前記ユニット本体４３は、図２（ａ）（ｂ）および図３（ａ）に示すように、略縦長長方形状の２枚の側板４３ａと、これらの側板４３ａの後端部同士を下端部を僅かに残した状態で連結する背板４３ｂと、側板４３ａの下部同士を連結する底板４３ｃと、背板４３ｂと対向する向きで側板４３ａの前側上端部同士を連結する目隠し板４３ｄとを有している。すなわち、両側板４３ａの内側面、底板４３ｃの上面、および目隠し板４３ｄの下端面で前方に開口する開口が形成され、両側板４３ａの内側面、背板４３ｂの前面、および目隠し板４３ｄの後面で上方に開口する開口が形成されている。なお、上方に開口する開口は、キッチンカウンター１１で塞がれるようになっている。
【００２１】
また、底板４３ｃの下側には、底板４３ｃの前端部から少し後側に控えた位置に側板４３ａ同士の間を塞ぐ塞ぎ板４３ｅが設けられており、両側板４３ａの前側下端部は、底板４３ｃの下面および塞ぎ板４３ｅの前面に沿って切り取られている。
【００２２】
前記両側板４３ａの内側面には、前記各引出し４１，４２を前後方向に移動可能に保持する３段の桟部材４４が取り付けられている。
【００２３】
具体的には、図４および図５（ａ）に示すように、両側板４３ａの内側面には、基準高さＨと略同一のピッチａで、４段のあり溝４３ｆが設けられている。これらのあり溝４３ｆは、台形の断面形状で前後方向に延在し、側板４３ａの前端面に開口している。
【００２４】
前記桟部材４４は、あり溝４３ｆに嵌り込み可能なあり部４４ａと、あり溝４３ｆからユニット本体４３の内側に張り出す受け部４４ｂとを有していて、前方からあり溝４３ｆに差し込み可能となっている。そして、桟部材４４は、あり溝４３ｆに選択的に差し込まれることにより、両側板４３ａの内側面に取り付けられるようになっている。図例では、桟部材４４は、１段目、２段目、および４段目のあり溝４３ｆに差し込まれている。
【００２５】
なお、桟部材４４が差し込まれていない３段目のあり溝４３ｆには、図５（ｂ）で示すような桟部材４４のあり部４４ａのみで構成されたダミー部材４６を差し込むようにして、あり溝４３ｆに異物が入り込むのを防止してもよい。
【００２６】
また、両側板４３ａの前端面には、上下方向で全てのあり溝４３ｆに跨る大きさのエンドプレート４５がネジ止め固定されるようになっており、このエンドプレート４５によって桟部材４４の前方への抜け止めが図られている。なお、桟部材４４の抜け止め構造は、エンドプレート４５に限らず適宜選定可能である。
【００２７】
前記第１引出し４１は、２枚の側板４１ｂと、これらの側板４１ｂの後端部同士を接続する背板４１ｃと、側板４１ｂおよび背板４１ｃで囲まれる空間の下側を塞ぐ底板４１ｄと、側板４１ｂの前端面および底板４１ｄの前端面が接合され、第１引出し４１の前面を構成する化粧板４１ａとからなっており、化粧板４１ａの高さ寸法が前記基準高さＨの略１倍になっている。そして、両側板４１ｂの外側面には、図３（ｂ）に示すように、前記桟部材４４の受け部４４ｂが嵌り込んで係合する摺動溝４１ｅが形成されており、この摺動溝４１ｅに桟部材４４の受け部４４ｂが係合することにより、第１引出し４１が桟部材４４に前後方向に移動可能に保持されるようになる。また、摺動溝４１ｅと桟部材４４の受け部４４ｂとの係合状態が解除されるまで第１引出し４１を前方に引出せば、第１引出し４１をユニット本体４３から取り外すことができ、逆に取り外した状態から摺動溝４１ｅの位置と桟部材４４の受け部４４ｂの位置とを合致させた状態で第１引出し４１をユニット本体４３内に押し込めば、再度第１引出し４１を桟部材４４に保持させることができる。
【００２８】
前記第２引出し４２は、図示は省略するが、第１引出し４１と同様の構造となっており、高さ方向の寸法が異なるだけである。すなわち、第２引出し４２は、高さ寸法が基準高さＨの略２倍の化粧板４２ａを有しており、両側板の外側面には桟部材４４の受け部４４ｂが嵌り込んで係合する摺動溝が形成されている。ただし、第２引出し４２における化粧板４２ａの下端部から摺動溝までの高さ寸法は、第１引出し４１における化粧板４１ａの下端部から摺動溝４１ｅまでの高さ寸法と略同一に設定されている。また、第２引出し４２も、第１引出し４１と同様に、ユニット本体４３に対して前方から着脱可能となっている。
【００２９】
このように、本実施形態では、ユニット本体４３の両側板４３ａの内側面には、基準高さＨと略同一のピッチａで４段のあり溝４３ｆが設けられているので、ユーザーがエンドプレート４５を取り外した後に、あり溝４３ｆから桟部材４４を抜き出して他のあり溝４３ｆに差し込むことにより、桟部材４４の取付位置を簡単に変更することができる。そして、このように桟部材４４の取付位置を変更することにより、各引出し４１，４２を上下に入れ替えることが可能となる。
【００３０】
例えば、図２（ａ）（ｂ）に示すような第２引出し４２が最下段に配置された状態から、図６（ａ）（ｂ）に示すように、第２引出し４２を最上段に配置変更する場合には、エンドプレート４５を取り外した後に、１段目の桟部材４４を１段目のあり溝４３ｆから抜き出して、３段目のあり溝４３ｆに差し込めばよい。このようにすれば、１段目の桟部材４４で第２引出し４２を保持し、２段目および３段目の桟部材４４で第１引出し４１を保持することが可能になる。あるいは、図７（ａ）（ｂ）に示すように、第２引出し４２を中段に配置変更する場合には、エンドプレート４５を取り外した後に、２段目の桟部材４４を２段目のあり溝４３ｆから抜き出して、３段目のあり溝４３ｆに差し込めばよい。このようにすれば、２段目の桟部材４４で第２引出し４２を保持し、１段目および３段目の桟部材４４で第１引出し４１を保持することが可能になる。
【００３１】
前記シンクユニット２は、高さが基準高さＨの略１倍に設定された１つの第１引出し２１と、高さが基準高さＨの略２倍に設定された１つの第２引出し２２と、前方に開口し、内部に前記各引出し２１，２２を上下に並んだ状態で収納可能なユニット本体２３とを有している。
【００３２】
前記第１引出し２１、第２引出し２２、およびユニット本体２３の構造は、基本的には前記引出しユニット４の第１引出し４１、第２引出し４２、およびユニット本体４３の構造と同様であるが、ユニット本体２３の前面の上部には、基準高さＨと略同一の高さの固定板２５が取り付けられていて、シンク１２が存する高さ位置には引出しが配置できないようになっている。また、ユニット本体２３の両内側面には、図示は省略するがユニット本体４３と同様に、基準高さＨと略同一のピッチａで、桟部材４４を前方から挿抜可能な３段のあり溝が設けられており、１段目と３段目のあり溝に２段の桟部材４４が差し込まれて取り付けられている。
【００３３】
前記コンロユニット３は、高さが基準高さＨの略１倍に設定された１つの第１引出し３１と、高さが基準高さＨの略２倍に設定された１つの第２引出し３２と、前方に開口し、内部に前記各引出し３１，３２を上下に並んだ状態で収納可能なユニット本体３３とを有している。
【００３４】
前記第１引出し３１、第２引出し３２、およびユニット本体３３の構造も、基本的には前記引出しユニット４の第１引出し４１、第２引出し４２、およびユニット本体４３の構造と同様であるが、前述したように１つの第１引出し４１に代えてコンロ１３が配置されている。また、ユニット本体３３の両内側面には、図示は省略するがユニット本体４３と同様に、基準高さＨと略同一のピッチａで、桟部材４４を前方から挿抜可能な３段のあり溝が設けられており、１段目と３段目のあり溝に２段の桟部材４４が差し込まれて取り付けられている。
【００３５】
このような構成のキッチン用キャビネット１であれば、キッチン用キャビネット１を設置した当初は、図１に示すような引出しのレイアウトであっても、各ユニット２〜６の桟部材４４の取付位置を変更することにより、第１引出し２１〜６１および第２引出し２２〜６２を上下に入れ替えることが可能となり、これにより、ユーザーがキッチン用キャビネットの外観やデザインを変更することができる。例えば、図８（ａ）に示すように、各ユニット２〜６の第２引出し２２〜６２を中段に配置すれば、これらの第２引出し２２〜６２で構成される太いラインをキッチン用キャビネット１の真中に持ってくることができる。あるいは、図８（ｂ）（ｃ）に示すように、ユーザーがその時々の使い勝手に合わせて引出しの配置を変更することも可能である。
【００３６】
また、各ユニット２〜６の第１引出し２１〜６１のうちの１つの化粧板（引出しユニット４では化粧板４１ａ）を他の引出しの化粧板と異なる色にすることによって、例えば設置当初には１本のラインを呈するようにしておいて、その後に引出しの配置を変更することにより、キッチン用キャビネット１の模様パターンを変更することもできる。
【００３７】
さらには、各引出しユニット４〜６は幅寸法が異なるだけであるので、各引出しユニット４〜６のユニット本体を構成する両側板（引出しユニット４では側板４３ａ）は、全てのユニット４〜６で共通化することができ、製造コストを低減することができる。
【００３８】
なお、前記実施形態では、各引出しユニット４〜６の幅寸法が異なる形態を示したが、例えば図９（ａ）に示すように、引出しユニット５の幅寸法が引出しユニット４の幅寸法と略同一に設定されていてもよい。
【００３９】
このようにすれば、引出しユニット４，５同士の間で、第１引出し４１，５１同士または第２引出し４２，５２同士を入れ替えることが可能であるし、あるいは、引出しユニット４の桟部材４４を引出しユニット５に付け替えることにより、図９（ｂ）に示すように、引出しユニット４の２つの第１引出し４１と引出しユニット５の１つの第２引出し５２とを入れ替えることも可能である。
【００４０】
さらには、各ユニット２〜６の第２引出し２２〜６２の高さは、基準高さＨの略３倍に設定されていてもよいし、第１引出し２１〜６１および第２引出し２２〜６２の数も適宜選定可能である。
【００４１】
また、ユニット本体４３の両側板４３ａの内側面に設けられる溝は、あり溝４３ｆである必要はなく、桟部材４４を前方から挿抜可能なものであればよい。例えば桟部材４４の断面形状を略Ｌ字状として、両側板４３ａの内側面に断面略Ｌ字状の溝を設けてもよい。または、桟部材４４の断面形状を横向きＴ字状として、両側板４３ａの内側面に断面略Ｔ字状の溝を設けてもよい。ただし、このようにした場合には、溝の開口側の薄肉部分の肉厚が薄くなって当該薄肉部分の強度を大きく確保することは難しいが、前記実施形態のようにすれば、溝の開口側の薄肉部分の強度を大きく確保することができる。
【００４２】
さらに、前記実施形態では、桟部材４４があり溝４３ｆの段数よりも１段少ない段数で設けられていて、桟部材４４が選択的にあり溝４３ｆに差し込まれているが、桟部材４４をあり溝４３ｆの段数と同じ段数で設けて、全てのあり溝４３ｆに差し込むようにしてもよい。
【００４３】
このようにすれば、桟部材４４の取付位置を変更することなく引出しの入れ替えが可能となる。
【００４４】
さらに全てのあり溝４３ｆに桟部材４４を差し込んだ場合には、図１０に示すように、第２引出し４２を保持する桟部材４４の上方で、かつ、第２引出し４２の占有領域内に位置する桟部材４４、換言すれば、第１引出し４１または第２引出し４２のどちらも保持していない３段目の桟部材４４を利用して、この桟部材４４にカゴやトレイなどの収納部材４７を載置させてもよい。
【００４５】
前記収納部材４７は、図１１（ａ）に示すように、平面視および正面視で矩形の容器状であってもよいし、あるいは収納容積をより多く確保するために、図１１（ｂ）に示すように、桟部材４４に載置可能であるとともに桟部材４４の間に入り込む段差形状であってもよい。
【００４６】
このように桟部材４４に収納部材４７を載置することにより、収納部材４７を桟部材４４に前後方向に移動可能に保持させることができ、引出し４１，４２を保持していない桟部材４４を合理的に利用して、第２引出し４２を引出せば、その内部の収納部材４７の引出しが可能となる２段引きを実現することができる。
【００４７】
なお、第２引出し４２の高さが基準高さＨの略３倍である場合には、第２引出し４２の占有領域内には２段の桟部材４４が位置することになるが、どちらの桟部材４４に収納部材４７を載置させてもよい。または、両方の桟部材４４に収納部材４７を載置させた場合には、第２引出し４２を引出せば、その内部の２段の収納部材４７の引出しが可能となる３段引きを実現することができる。
【図面の簡単な説明】
【００４８】
【図１】本発明の一実施形態に係るキッチン用キャビネットの正面図である。
【図２】（ａ）は引出しユニットの正面図、（ｂ）はその側面図である。
【図３】（ａ）は図２（ａ）のＩ−Ｉ線断面図、（ｂ）は（ａ）のＩＩ−ＩＩ線断面図である。
【図４】ユニット本体の側板の側面図である。
【図５】（ａ）はユニット本体の側板と桟部材の分解斜視図、（ｂ）はダミー部材の斜視図である。
【図６】（ａ）は第２引出しを最上段に配置したときの引出しユニットの正面図、（ｂ）はその側面図である。
【図７】（ａ）は第２引出しを中段に配置したときの引出しユニットの正面図、（ｂ）はその側面図である。
【図８】（ａ）〜（ｃ）は各ユニットの引出しの配置を変更したときのキッチン用キャビネットの正面図である。
【図９】（ａ）は変形例の実施形態に係るキッチン用キャビネットの正面図、（ｂ）は各ユニットの引出しの配置を変更したときのキッチン用キャビネットの正面図である。
【図１０】桟部材に収納部材が保持された状態の引出しユニットの斜視図である。
【図１１】（ａ）は一形態の収納部材が桟部材に保持された状態の正面図、（ｂ）は他の一形態の収納部材が桟部材に保持された状態の正面図である。
【符号の説明】
【００４９】
１  キッチン用キャビネット
１１  キッチンカウンター
２    シンクユニット
２１，３１，４１，５１，６１  第１引出し
２２，３２，４２，５２，６２  第２引出し
２３，３３，４３，５３，６３  ユニット本体
３    コンロユニット
４〜６  引出しユニット
４１ｂ  側板
４１ｅ  摺動溝
４３ａ  側板
４３ｆ  あり溝
４４  桟部材
４４ａ  あり部
４４ｂ  受け部
４７  収納部材
【図１】
2007044173.tif 000003
【図２】
2007044173.tif 000004
【図３】
2007044173.tif 000005
【図４】
2007044173.tif 000006
【図５】
2007044173.tif 000007
【図６】
2007044173.tif 000008
【図７】
2007044173.tif 000009
【図８】
2007044173.tif 000010
【図９】
2007044173.tif 000011
【図１０】
2007044173.tif 000012
【図１１】
2007044173.tif 000013